(57)【要約】【課題】用途が汎用であるコピー・プリンター用紙に専用の印刷物が持つオリジナリティ保障機能を強化したものを持たせ、複写・複製機能とオリジナリティ保障機能を両立させる。【解決手段】コピー・プリンター用紙の外周部の帯状の部分に社名・ロゴの地紋印刷を施し外周部でオリジナリティ保障機能、中央部でコピー・プリントアウト機能と機能部を分けることにより複写・複製機能とオリジナリティ保障機能の両立を達成する。上記印刷による製造の他インクジェットプリンターにより特色インクを用いて仕上がりサイズより一回り大きく地紋をプリントアウトし、プリントアウト後に仕上がりサイズに断裁する方法においても製造することができる【選択図】図１
2005144665.tif 000002
【特許請求の範囲】
【請求項１】
コピー用ラフ上質紙又は印刷用の用紙に社名・ロゴ等を外周部に地紋印刷をほどこし、外周部で専用帳票・専用用紙の持つオリジナリティ保障機能を果たし、中央部で本来の複写・プリントアウト機能を果たす、オリジナリティ保障機能と複製機能の両立を図ったコピー・プリンター用紙
【請求項２】
仕上がりがＡ判・Ｂ判の定型サイズになるように一回り大きなサイズの用紙を使用してプリンターにより社名・ロゴ等を仕上がり内の外周部に地紋としてプリントアウトし定型サイズに仕上がり断裁した、外周部で専用帳票・専用用紙の持つオリジナリティ保障機能を果たし、中央部で本来の複写・プリントアウト機能を果たす、オリジナリティ保障と複製機能の両立を図ったコピー・プリンター用紙
【発明の詳細な説明】
【技術分野】
【０００１】
本発明は、コピー・プリンター用紙への地紋のプレ印刷に関するものである
【背景技術】
【０００２】
従来汎用のコピー・プリンター用紙には白無地の用紙が用いられ、時には色上質紙やレターヘッド印刷が使用されることがあった。又製作元や発行元を明らかにし、かつオリジナリティ保障が必要であるときは専用の印刷物（専用の帳票や専用用紙）が利用されていた。
コピー・プリンターの持つ複写・複製機能と専用の印刷物が副次的にもつ製作元や発行元を明らかにするオリジナリティ保障機能は汎用用途としては両立できないものとされてきた。
現在のレターヘッド印刷ではパソコン・スキャナー・カラープリンター等の機器の発達により、容易に複製が可能となりオリジナリティ保障機能が弱くなっており、かつレターヘッドにより印字・コピー部分が制約を受ける欠点もあった。
【非特許文献１】関善造著、編集・印刷・デザイン用語辞典２０００年３月１日１４刷発行、Ｐ３７８−３７９
【発明の開示】
【発明が解決しようとする課題】
【０００３】
解決しようとする問題は用途が汎用であるコピー・プリンター用紙に専用の印刷物が持つオリジナリティ保障機能を強化したものを持たせ、複写複製機能とオリジナリティ保障機能を両立させることである。
【課題を解決するための手段】
【０００４】
コピー・プリンター用紙を製作するときに仕上がり内の外周部の帯状の部分  図面１−（１）地紋印刷部分に社名・ロゴ等を地紋として印刷を行う。この部分は通常のコピー・プリントアウトでは余白として白地となるが仕上がりまで印字・コピーされる場合を考え地紋は薄い色で印刷をほどこし地紋の上に印字されても読めるようにできることが望ましい。中央部  図面１−（２）コピー・プリントアウト部分は白無地又は薄い平網かけ印刷としコピー・プリントアウトされたものの読みやすさを確保することができる。このように外周部の帯状の部分と帯に囲まれた中央部とを二分してそれぞれ別の機能を持たせることにより複写・複製機能とオリジナリティ保障機能を両立させることができる。
これまでのレターヘッド印刷との機能上の違いとしては１）一般的なレターヘッド印刷が持つ社名・住所・連絡先番号等の文字情報を持たず社名も地紋化した図形としての意味しか持たず、通常のコピー・プリンター用紙に近く汎用性が高い２）用紙をラフ上質紙（一般に流通しているコピー用紙と同じ用紙）とすることで通常の印刷会社では紙の入手が難しく複製の製造は著しく困難となり、印刷用の上質紙を使用した場合違いがすぐに分かる。３）地紋は外周部の狭い帯の範囲に印刷されるためプリントアウト・コピーの内容にほとんど影響することが無くレターヘッドを意識して内容をレイアウトする必要が無くなる。４）地紋を断ちきりまで印刷することにより更に利用できる用紙を狭められまた印刷機も制限できる効果を持つ。
上記印刷方式による製造のほか、インクジェットプリンターを使用して地紋を仕上がりサイズより大きな用紙にプリントアウトしプリントアウト後に仕上がりサイズに断裁する手段によって課題を解決することができる。この方式がオリジナリティ保障機能を発揮するためにはプリントアウトされた用紙が簡単には複製できないものである必要があり、かつ第三者がそのことを認識できて初めてオリジナリティ保障機能が完全に発揮される。複製を防止する手段としては使用するインクを特色の専用のものたとえば緑や黄緑のドロップアウトカラーでかつ中間色であるものを使用することが考えられる。シアンとイエローを掛け合わせてプリントアウトされた緑や黄緑と特色１色でプリントアウトされた緑や黄緑の色は明らかな違いがありかつルーペで拡大するとシアンとイエローの掛け合わせの状態まで確認できる。用紙の隅に特色のインクを使用してプリントアウトを行ったことを注意書きとして小さく入れておけばオリジナリティ保障機能のいっそうの効果が得られる。
【発明の効果】
【０００５】
本発明の効果として、これまで専用の印刷物（領収書・請求書・納品書・申込書等帳票や専用用紙）を使用していた、偽造・複製を防止しオリジナリティ保障機能の発揮が要求されるものの発行を本発明の地紋プレ印刷コピー・プリンター用紙とコピー・パソコンを使用することにより発行できるようになる。また高度のオリジナリティ保障機能を必要とされる契約書・提案書等へ使用することによりプリントされた契約書・提案書のオリジナリティへの信頼性を高めることができる。
【発明を実施するための最良の形態】
【０００６】
図面１に基づき各部をＡ４サイズの場合で説明すると印刷は特色１c／０c（１）地紋印刷部分の帯幅は仕上がり時断裁される版面部を含め１５ｍｍ〜２０ｍｍ帯幅は地紋化された社名が容易に認識できかつコピー・プリント部分をできるだけ広く取れる最小の幅にとどめる。社名・ロゴの大きさは3ｍｍ〜10ｍｍ程度、地紋の色は特色使用緑又は黄緑１色１５％〜２０％のスクリーン線数は８０線程度の粗いもの。薄い緑または黄緑の特色の使用は読みやすさの確保のためとコピーをしたときに写らないようにするため。粗いスクリーン線数の使用はドットを大きくし特色印刷の複製防止の効果を大きくするため。（２）コピー・プリントアウト部分は白地か５％〜１０％の平網で地紋の色と同じ色を使用。用紙はラフ上質紙Ａ判／３５ｋｇ使用
【実施例１】
【０００７】
本発明の実施例１はＡ４サイズの比較的ロットが大きい場合の製造に関する。
印刷方式にて製造を行う。用紙はラフ上質Ａ判／３５ｋｇを使用。本用紙はコピー用紙専用であり印刷用の全版紙が流通していないためＡ判原反ロール紙より全版サイズでシートに切り出して使用。したがって複製を行おうとする者もロール紙より切り出して使用するか大判コピーセンターでＢ全かＢ２コピー用紙を購入して印刷を行うことになる。ロール紙よりの切り出しは大量の用紙発注が必要とされかつラフ上質紙での注文はこれまで例が無いため目立つことになる。コピーセンターでの購入は小ロットでも可能であるが普通車では運べずライトバン又はトラックを使用する必要がありＢ判使用による用紙の無駄が発生し注文を受けた印刷会社ではかなり特異な注文として目立つことになる。特色1c／０cＡ全版８面付けの印刷となる（図面２参照）。刷色は黄緑の特色印刷とし帯状の地紋は版面まで印刷し２０％網掛け８０線スクリーン使用コピー・プリントアウト部は１０％網掛け１２０線スクリーン使用。中間色である緑・黄緑色の印刷はコピーをしたときのドロップアウトし、かつ複製を行おうとするものはサンプルとなる本用紙にベタの部分が無いこともありインクの調肉に手間がかかることになる。８０線のスクリーンの使用は網点が大きくなりプロセス印刷によるイエローとシアンのかけ合わせによる印刷との違いを際だたせる効果と特色のインクを使用した場合でもインクの調肉の違いを際だたせる効果を持つ。印刷用の用紙の入手に手間がかかりかつまとまった量の注文が必要であること、中間色の特色印刷で仕上がり内にベタの部分が無いこと、複数のスクリーンを使用していること、複数の網のパーセントを使用していること等は、複製をするには困難さを増加させる。
【実施例２】
【０００８】
本発明実施例２はＡ４サイズのロットの小さいものの製造に関する。
プリンターによるプリントアウトにより製造を行う。用紙は市販のＢ４サイズのコピー用紙を使用。プリンターはインクジェットプリンター使用、地紋を１５％〜３０％ぐらいの網でプリントアウトし普通のインクの使用で製造可能であるが、本実施例では偽造・複製防止機能を高めるため特製のライトグリーンのインクを使用した。４色プリンターでイエローとシアンのドットを混ぜて表現するライトグリーンとドットからライトグリーンでプリントされたものでははっきり違いが出る。［図面３−（３）（４）参照］Ｂ４サイズの用紙にプリントアウト後Ａ４サイズに仕上げ断裁を行い製造する。
プリントアウトにより製造するいくつかの手段の特徴を説明する。
1. プリンターの機構もプログラムも改造を行わずそのまま使用
イ) 特色の使用はできない
ロ) ＹＭＣＫデータをプリントアウトしたとき指示外の色のドットが混じり、色が濁る
ハ) 色の選択は自由にできる
ニ) 地紋作成ソフトとＤＴＰの知識があれば複製可能のためオリジナリティ保障機能は低い
2. プリンターのブラックのインクタンクの代わりに特色インクのタンクを装着しプリントアウト用データをブラックで製作する
イ) 特色でのプリントアウトのみの専用プリンターとしての使用となりカラーインクカートリッジが無駄になる
ロ)ブラックの１色インクジェットプリンターでの利用には適している
ハ) 特色インクタンクの容量が特注のタンクを利用するのに比べ少なくまたブラックのインクを装着していないため通常のプリンターとしての使用ができない等の不利がある
ニ) 特色インクの製造とインクタンクへの充填が必要なためオリジナリティ保障機能は高い
3．プリンターのブラックのインクタンクはそのままでイエロー・マゼンタ・ブルーのタンクの代わりに大型の特色のタンク一つを装着しカートリッジはそのまま、カラーインクの１つに替えて特色をプリントアウトする。したがって印刷データは替えられることになる色で作られる。
イ)カラーインク部分は、特色でのみプリントアウトとなり他の色でのプリントアウトはできない
ロ) ブラックの１色プリンターとしても利用可能
ハ) インクタンク容量が大きく取れる
ニ) 特色インクの製造およびインクタンクの製造とインクの充填が必要なためオリジナリティ保障機能は高い
ホ）イエロー・マゼンタ・シアン各色に対応したインク出し部を持つ特色タンクを作ることと、データを各色のデータとすることにより３種類までの特色インクタンクを用意できインクタンクを変えることにより３種類の特色に対応できる。
4．既存のプリンターを利用するのではなく新しく専用機を開発し利用する。
イ) 新しく開発するため自由度が大きく取れる
ロ) コストがかかる
ハ) オリジナリティ保障機能は高い
【産業上の利用可能性】
【０００９】
本発明の活用例として実施例１の印刷方式では主に企業向けに印刷会社により供給し、伝票・専用用紙の削減とコンピュータによる発行の拡大に貢献できる。また、実施例２のプリントアウト方式の製造では写真のプリントショップチェーン・文房具店等よりの供給が考えられ、主に個人や個人事業主等に５０枚か１００枚単位で供給し、偽造・複製防止機能の高い、パソコンでエクセル等を使用した請求書・納品書発行手段を提供できる。
【図面の簡単な説明】
【００１０】
【図１】地紋プレ印刷コピー・プリンター用紙の各部説明図（最良の実施形態・実施例１）
【図２】印刷方式で製造の印刷面付けと寸法説明図（実施例１）
【図３】プリンター方式で製造の４色プリンターのドットと特色のドットの違いの説明図（実施例２）
【符号の説明】
【００１１】
（１）は地紋印刷部分
（２）は印字・コピー機能部分
（３）はインクジェットプリンターでグリーンを印字したときのドット状態の拡大図
（４）はグリーンの特色インキをインクジェットプリンターで使用した場合のドットの拡大図
【図１】
2005144665.tif 000003
【図２】
2005144665.tif 000004
【図３】
2005144665.tif 000005